(57)【特許請求の範囲】
【請求項１】
対となるワイヤを束ねたケーブルの平衡を保つパルストランスを含むネットワーク装置同士が前記ケーブルによって通信可能に接続される環境において用いられるケーブル断線検出装置であって、
第１のフィルタ、第２のフィルタ、第１のトランス、第２のトランス、信号発信器、および検出器を備え、
前記第１のフィルタと前記第２のフィルタは、前記ネットワーク装置が通信に使用する周波数帯域では低いインピーダンスを有し、かつ前記ネットワーク装置が通信に使用する周波数帯域より低い低周波帯域では高いインピーダンスを有し、
前記信号発信器は、前記ネットワーク装置が通信に使用する周波数帯域より低い低周波信号を出力する機能を有し、
前記検出器は、低周波信号を検出する機能を有し、
前記第１のフィルタは、前記対となるワイヤの中の一のワイヤと前記パルストランスの一の端子との間に、前記第１のトランスの一次側または二次側と並列に接続され、
前記第２のフィルタは、前記対となるワイヤの中の他のワイヤと前記パルストランスの他の端子との間に、前記第２のトランスの一次側または二次側と並列に接続され、
前記信号発信器は、前記第１のトランスの前記第１のフィルタが接続されていない側に接続され、
前記検出器は、前記第２のトランスの前記第２のフィルタが接続されていない側に接続されること、
を特徴とするケーブル断線検出装置。
【請求項２】
対となるワイヤを束ねたケーブルの平衡を保つパルストランスを含むネットワーク装置同士が前記ケーブルによって通信可能に接続される環境において用いられるケーブル断線検出装置であって、
前記ケーブル用のコネクタの中に、
第１のフィルタ、第２のフィルタ、第１のトランス、および第２のトランスを備え、
前記第１のフィルタと前記第２のフィルタは、前記ネットワーク装置が通信に使用する周波数帯域では低いインピーダンスを有し、かつ前記ネットワーク装置が通信に使用する周波数帯域より低い低周波帯域では高いインピーダンスを有し、
前記第１のフィルタは、前記対となるワイヤの中の一のワイヤと前記パルストランスの一の端子との間に、前記第１のトランスの一次側または二次側と並列に接続され、
前記第２のフィルタは、前記対となるワイヤの中の他のワイヤと前記パルストランスの他の端子との間に、前記第２のトランスの一次側または二次側と並列に接続されるように配置され、
前記コネクタは、さらに
前記ネットワーク装置が通信に使用する周波数帯域より低い低周波信号を出力する信号発信器および低周波信号を検出する検出器を接続する接続端子を備え、
前記信号発信器は、前記第１のトランスの前記第１のフィルタが接続されていない側の前記接続端子に接続され、
前記検出器は、前記第２のトランスの前記第２のフィルタが接続されていない側の前記接続端子に接続されること、
を特徴とするケーブル断線検出装置。
【請求項３】
ネットワーク装置同士が対となるワイヤを束ねたケーブルによって通信可能に接続される環境において用いられるケーブル断線検出装置であって、
前記ケーブル用のコネクタの中に、
第１のフィルタ、第２のフィルタ、第１のトランス、第２のトランス、および前記ケーブルの対の平衡を保つパルストランスを備え、
前記第１のフィルタと前記第２のフィルタは、前記ネットワーク装置が通信に使用する周波数帯域では低いインピーダンスを有し、かつ前記ネットワーク装置が通信に使用する周波数帯域より低い低周波帯域では高いインピーダンスを有し、
前記パルストランスは、前記ネットワーク装置に接続される側に配置され、
前記第１のフィルタは、前記対となるワイヤの中の一のワイヤと前記パルストランスの一の端子との間に、前記第１のトランスの一次側または二次側と並列に接続され、
前記第２のフィルタは、前記対となるワイヤの中の他のワイヤと前記パルストランスの他の端子との間に、前記第２のトランスの一次側または二次側と並列に接続されるように配置され、
前記コネクタは、さらに
前記ネットワーク装置が通信に使用する周波数帯域より低い低周波信号を出力する信号発信器および前記第２のトランスに誘起される低周波信号を検出する検出器を接続する接続端子を備え、
前記信号発信器は、前記第１のトランスの前記第１のフィルタが接続されていない側の前記接続端子に接続され、
前記検出器は、前記第２のトランスの前記第２のフィルタが接続されていない側の前記接続端子に接続されること、
を特徴とするケーブル断線検出装置。
【請求項４】
対となるワイヤを束ねたケーブルの平衡を保つパルストランスを含むネットワーク装置同士が前記ケーブルによって通信可能に接続される環境において用いられるケーブル断線検出方法であって、
前記ネットワーク装置が通信に使用する周波数帯域では低いインピーダンスを有し、かつ前記ネットワーク装置が通信に使用する周波数帯域より低い低周波帯域では高いインピーダンスを有する第１のフィルタと第２のフィルタと、
第１のトランスと第２のトランスと、
前記ネットワーク装置が通信に使用する周波数帯域より低い低周波信号を出力する信号発信器と、
低周波信号を検出する検出器と、
を備え、
前記第１のフィルタは、前記対となるワイヤの中の一のワイヤと前記パルストランスの一の端子との間に、前記第１のトランスの一次側または二次側と並列に接続され、
前記第２のフィルタは、前記対となるワイヤの中の他のワイヤと前記パルストランスの他の端子との間に、前記第２のトランスの一次側または二次側と並列に接続され、
前記第１のトランスの前記第１のフィルタが接続されていない側に、前記信号発信器を接続し、
前記第２のトランスの前記第２のフィルタが接続されていない側に、前記検出器を接続し、
前記検出器が前記第２のトランスに誘起される低周波信号を取得すること、
を特徴とするケーブル断線検出方法。
【請求項５】
対となるワイヤを束ねたケーブルの平衡を保つパルストランスを含むネットワーク装置同士が前記ケーブルによって通信可能に接続される環境において用いられるケーブル断線検出方法であって、
前記ケーブル用のコネクタの中に、
前記ネットワーク装置が通信に使用する周波数帯域では低いインピーダンスを有し、かつ前記ネットワーク装置が通信に使用する周波数帯域より低い低周波帯域では高いインピーダンスを有する第１のフィルタと第２のフィルタと、
第１のトランスと第２のトランスと、
を備え、
前記第１のフィルタは、前記対となるワイヤの中の一のワイヤと前記パルストランスの一の端子との間に、前記第１のトランスの一次側または二次側と並列に接続され、
前記第２のフィルタは、前記対となるワイヤの中の他のワイヤと前記パルストランスの他の端子との間に、前記第２のトランスの一次側または二次側と並列に接続されるように配置され、
前記コネクタは、さらに
前記第１のトランスの前記第１のフィルタが接続されていない側および前記第２のトランスの前記第２のフィルタが接続されていない側に接続する接続端子を備え、
前記第１のトランスの前記第１のフィルタが接続されていない側の前記接続端子に、前記ネットワーク装置が通信に使用する周波数帯域より低い低周波信号を出力する信号発信器を接続し、
前記第２のトランスの前記第２のフィルタが接続されていない側の前記接続端子に、低周波信号を検出する検出器を接続し、
前記検出器が前記第２のトランスに誘起される低周波信号を取得すること、
を特徴とするケーブル断線検出方法。
【請求項６】
ネットワーク装置同士が対となるワイヤを束ねたケーブルによって通信可能に接続される環境において用いられるケーブル断線検出方法であって、
前記ケーブル用のコネクタの中に、
前記ネットワーク装置が通信に使用する周波数帯域では低いインピーダンスを有し、かつ前記ネットワーク装置が通信に使用する周波数帯域より低い低周波帯域では高いインピーダンスを有する第１のフィルタと第２のフィルタと、
第１のトランスと第２のトランスと、
前記ケーブルの対の平衡を保つパルストランスと、
を備え、
前記パルストランスは、前記ネットワーク装置に接続される側に配置され、
前記第１のフィルタは、前記対となるワイヤの中の一のワイヤと前記パルストランスの一の端子との間に、前記第１のトランスの一次側または二次側と並列に接続され、
前記第２のフィルタは、前記対となるワイヤの中の他のワイヤと前記パルストランスの他の端子との間に、前記第２のトランスの一次側または二次側と並列に接続され、
前記コネクタは、さらに
前記第１のトランスの前記第１のフィルタが接続されていない側および前記第２のトランスの前記第２のフィルタが接続されていない側に接続する接続端子を備え、
前記第１のトランスの前記第１のフィルタが接続されていない側の前記接続端子に、前記ネットワーク装置が通信に使用する周波数帯域より低い低周波信号を出力する信号発信器を接続し、
前記第２のトランスの前記第２のフィルタが接続されていない側の前記接続端子に、低周波信号を検出する検出器を接続し、
前記検出器が前記第２のトランスに誘起される低周波信号を取得すること、
を特徴とするケーブル断線検出方法。
【発明の詳細な説明】
【技術分野】
【０００１】
本発明は、ネットワーク機器同士を接続した環境において、ケーブルの断線やコネクタの接触不良を検知するケーブル断線検出装置およびケーブル断線検出方法に係る技術に関する。
【背景技術】
【０００２】
ネットワーク機器は、通信ケーブルに接続されると、物理的に接続する通信相手のネットワーク機器がどの規格（通信速度および全二重や半二重といった通信モードなど）に対応しているかを、リンクパルスを用いて情報交換する。そして、接続されたネットワーク機器は、交換した情報に基づいて、自分の通信状態が最適となるように通信速度や通信モードを設定する。このような機能は、オートネゴシエーションと呼ばれている。
【０００３】
しかし、オートネゴシエーションは、ネットワーク機器同士が正常に動作していること、かつ、通信ケーブルに適切に接続されていることを前提として行われるものである。そのため、オートネゴシエーションでは、リンクパルスを用いた情報交換を正常に行えなかった場合に、そのことが、ネットワーク機器の故障によるものなのか、あるいはネットワーク機器同士を接続する通信ケーブルの断線やコネクタの接触不良によるものなのか、のどちらの原因によるものかを検知することが困難である。
【０００４】
通信ケーブルの断線やコネクタの接触不良を検知する発明は、特許文献１や特許文献２に開示されている。
特許文献１には、ＬＡＮ（Local Area Network）ケーブルを構内に敷設した後に、ＬＡＮケーブル単体について、直流電流を用いて抵抗値を測定する方法、および１６ＭＨｚの高周波信号を用いてワイヤ・ペア間のクロストーク量を測定する方法が開示されている。
また、特許文献２には、電子制御装置のコネクタとノイズ除去用コンデンサとに起因する電圧と、コネクタの接触抵抗がほぼ零のときに対応する基準電圧とを比較するによって、コネクタの接触抵抗が許容範囲か否かを測定する方法が開示されている。
【特許文献１】特開平７−３０１６５４号公報（段落０００６〜０００８参照）
【特許文献２】特開２０００−２３０９６０号公報（段落００２１〜００２２、図２参照）
【発明の開示】
【発明が解決しようとする課題】
【０００５】
しかしながら、特許文献１に記載された発明では、ＬＡＮケーブルがネットワーク機器に接続された状態において、通信ケーブルの断線やコネクタの接触不良を検知することができないという問題がある。
また、特許文献２に記載された発明では、コネクタに接続されているコンデンサ（インピーダンス）が予め既知の場合にしか適用することができない。すなわち、コネクタに接続される通信ケーブルの長さが変わったり変形したりして、インピーダンスがさまざまに異なる場合には適用することが困難になるという問題がある。
【０００６】
本発明は、以上のような問題点に鑑みてなされたものであり、ネットワーク機器を通信ケーブル（ＬＡＮケーブル）に接続した状態で、通信ケーブルの断線やコネクタの接触不良を検知することを課題とする。
【課題を解決するための手段】
【０００７】
上記の目的を達成するために、本発明におけるケーブル断線検出装置は、対となるワイヤを束ねたケーブルの平衡を保つパルストランスを含むネットワーク装置同士が前記ケーブルによって通信可能に接続される環境において用いられるものであって、第１のフィルタ、第２のフィルタ、第１のトランス、第２のトランス、信号発信器、および検出器を備え、前記第１のフィルタと前記第２のフィルタが前記ネットワーク装置が通信に使用する周波数帯域では低いインピーダンスを有し、かつ前記ネットワーク装置が通信に使用する周波数帯域より低い低周波帯域では高いインピーダンスを有し、前記信号発信器が前記ネットワーク装置が通信に使用する周波数帯域より低い低周波信号を出力する機能を有し、前記検出器が低周波信号を検出する機能を有し、前記第１のフィルタが前記対となるワイヤの中の一のワイヤと前記パルストランスの一の端子との間に前記第１のトランスの一次側または二次側と並列に接続され、前記第２のフィルタが前記対となるワイヤの中の他のワイヤと前記パルストランスの他の端子との間に前記第２のトランスの一次側または二次側と並列に接続され、前記信号発信器が前記第１のトランスの前記第１のフィルタが接続されていない側に接続され、前記検出器が前記第２のトランスの前記第２のフィルタが接続されていない側に接続されること、を特徴とする。
【発明の効果】
【０００８】
本発明によれば、ケーブル断線検出装置またはケーブル断線検出方法は、ネットワーク機器同士を接続した環境において、通信ケーブルの断線やコネクタの接触不良を検知することが可能となる。
また、本発明によれば、対となるワイヤに対して、フィルタとトランスをそれぞれ対称に配置することから、通信ケーブルは、その平衡性を失うことが無く、本発明の回路が搭載されていないネットワーク機器に対して、本発明の回路が搭載されているネットワーク機器を接続した場合においても、通信性能に悪影響を及ぼすことがない。
【発明を実施するための最良の形態】
【０００９】
《第１実施形態》
以下、本発明に係るケーブル断線検出装置の実施形態について、図１を用いて説明する。図１は、ネットワーク装置に内蔵されたケーブル断線検出装置を示す図である。
【００１０】
図１は、ネットワーク装置Ａ（１００）とネットワーク装置Ｂ（２００）とが、それぞれコネクタ１０５，２０５を介して、ケーブル４００によって接続されている状態を示している。
ネットワーク装置Ａ（１００）は、既設受信バッファ１０１、既設パルストランス１０２、既設送信バッファ１０３、および既設パルストランス１０４を通信信号の処理回路の一部として備えている。なお、図示していない処理回路は、本発明の説明には不要であるため、省略した。
そして、ネットワーク装置Ａ（１００）は、既設パルストランス１０２とコネクタ１０５との間、および既設パルストランス１０４とコネクタ１０５との間に、ケーブル断線検出装置３００を内蔵する。
ネットワーク装置Ｂ（２００）は、既設送信バッファ２０１、既設パルストランス２０２、既設受信バッファ２０３、および既設パルストランス２０４を通信信号の処理回路の一部として備えている。なお、図示していない処理回路は、本発明の説明には不要であるため、省略した。
【００１１】
既設パルストランス１０２，１０４，２０２，２０４は、ネットワーク装置Ａ（１００）とネットワーク装置Ｂ（２００）とを、平衡接続するために設けられている。そして、既設受信バッファ１０１，２０３または既設送信バッファ１０３，２０１は、それぞれ、受信信号または送信信号を適切な信号レベルに調整する機能を有している。
【００１２】
ケーブル４００は、ＬＡＮケーブルであって、一般的には８本（４対）のワイヤで構成されている。しかし、図１においては、通信に用いる４本（２対）のワイヤ４ａ，４ｂ，４ｃ，４ｄについてのみ示している。４本のワイヤを通信に使用する規格の一例として、１０ＢＡＳＥ−Ｔや１００ＢＡＳＥ−ＴＸなどがある。そして、ワイヤ４ａとワイヤ４ｂとは撚られて１対となっており、ワイヤ４ｃとワイヤ４ｄとも撚られて１対となっている。
コネクタ１０５，２０５は、ケーブル４００に接続されているプラグ（ＲＪ−４５）と、それに対応するジャックのことである。
【００１３】
第１実施形態のケーブル断線検出装置３００は、既設パルストランス１０２とコネクタ１０５との間および既設パルストランス１０４とコネクタ１０５との間に設置される。したがって、ケーブル断線検出装置３００の接続点ｔ１と既設パルストランス１０２、接続点ｔ２とコネクタ１０５のワイヤ４ａ，４ｂ、接続点ｔ３と既設パルストランス１０４、および接続点ｔ４とコネクタ１０５のワイヤ４ｃ，４ｄが接続される。
【００１４】
次に、ケーブル断線検出装置３００の内部の回路構成について、図２を用いて説明する。図２は、ケーブル断線検出装置の回路構成を示す図である。
なお、図２が図１と異なる点は、ケーブル断線検出装置３００の詳細な回路を示した点、ループ電流１３，１４を示した点、既設受信バッファ１０１，２０３または既設送信バッファ１０３，２０１を図示していない点である。なお、図１と同じ回路については同じ符号を付し、説明を省略する。
【００１５】
まず、ケーブル断線検出装置３００の接続点ｔ１と接続点ｔ２との間に接続される回路構成について説明する。
接続点ｔ１の上側の端子（既設パルストランス１０２の一の端子）と接続点ｔ２の上側の端子（対となるワイヤの中の一のワイヤ；ワイヤ４ａ）との間には、コンデンサＣ（第１のフィルタ）が接続される。そのコンデンサＣの両端には、トランスＴ１ａ（第１のトランス）の一次側または二次側が接続される。そして、トランスＴ１ａのコンデンサＣが接続されていない側には、低周波発信器１０（信号発信器）が接続され、その他端は接地される。
また、接続点ｔ１の下側の端子（既設パルストランス１０２の他の端子）と接続点ｔ２の下側の端子（対となるワイヤの中の他のワイヤ；ワイヤ４ｂ）にも、前記した上側の端子の場合と同様に、コンデンサＣ（第２のフィルタ）とトランスＴ１ｂ（第２のトランス）とが並列に接続される。そして、トランスＴ１ｂのコンデンサＣが接続されていない側には、ループ電流検出器１１（検出器）が接続され、その他端は接地される。
接続点ｔ３の下側の端子（既設パルストランス１０４の一の端子）と接続点ｔ４の下側の端子（対となるワイヤの一のワイヤ；ワイヤ４ｄ）との間には、コンデンサＣが接続される。そのコンデンサＣの両端には、トランスＴ２ａの一次側または二次側が接続される。そして、トランスＴ２ａのコンデンサＣが接続されていない側には、低周波発信器１０が接続され、その他端は接地される。
また、接続点ｔ３の上側の端子（既設パルストランス１０４の他の端子）と接続点ｔ４の上側の端子（対となるワイヤの他のワイヤ；ワイヤ４ｃ）にも、前記した下側の端子の場合と同様に、コンデンサＣとトランスＴ２ｂとが並列に接続される。そして、トランスＴ２ｂのコンデンサＣが接続されていない側には、ループ電流検出器１１が接続され、その他端は接地される。
【００１６】
低周波発信器１０は、既設パルストランス１０２，１０４，２０２，２０４のインダクタンス成分がほとんど無視できるような、低い周波数の信号を発信する。また、それによって誘導されるループ電流の大きさは、既設パルストランス１０２，１０４，２０２，２０４が飽和しない程度である。
ループ電流検出器１１は、トランスＴ１ｂやトランスＴ２ｂに誘起した電流を検出する機能を有する。ループ電流検出器１１は、増幅回路、検波回路、および検波回路の出力を処理する処理回路などを含む。そして、ループ電流検出器１１は、処理した結果を表示器１２に表示する。
【００１７】
次に、ケーブル断線検出装置の動作について、図２を用いて説明する。
低周波発信器１０から出力された低周波信号は、トランスＴ１ａのトランス結合およびトランスＴ２ａのトランス結合によって、ワイヤ４ａおよびワイヤ４ｄに励起（重畳）される。そして、ケーブル４００の断線がなくかつコネクタの接触不良もない場合、相手側のネットワーク機器Ｂ（２００）の既設パルストランス２０２および２０４を経由して、図２に示すように、ループ電流１３およびループ電流１４が形成される。
【００１８】
そして、このループ電流１３およびループ電流１４がトランスＴ１ｂおよびトランスＴ２ｂを通過すると、トランス結合によって、ループ電流検出器１１が接続されている側のコイルに誘起電流が流れる。そのとき、ループ電流検出器１１は、その誘起電流を検出して、ケーブル４００の断線がなく、コネクタの接触不良もないと判定する。
【００１９】
ただし、ケーブルの断線やコネクタの接触不良があれば、ループが形成されないため、ループ電流１３，１４は形成されない。そのとき、ループ電流検出器１１は、誘起電流を検出することができないため、ケーブル４００の断線か、コネクタの接触不良があると判定する。
【００２０】
表示器１２は、ループ電流検出器１１がループ電流を検出したときに、ＬＥＤ（Light Emitting Diode）などを発光させることによって、正常（ケーブルの断線もコネクタの接触不良もない状態）であることの表示を行う。あるいは、その逆に、異常（ケーブルの断線あるいはコネクタの接触不良がある状態）であるときに、ＬＥＤが発光して表示しても構わない。
【００２１】
なお、ケーブル４００には、ループ電流１３，１４と通信に使用する通信信号とが重畳される。通信信号は、周波数が高いため、トランスＴ１ａ，Ｔ１ｂ，Ｔ２ａ，およびＴ２ｂを通過できないが、コンデンサＣを通過することが可能である。したがって、ケーブル断線検出装置３００を内蔵しても、通信に障害を及ぼすことはない。また、ループ電流１３，１４は、周波数が低いため、コンデンサＣを通過できないが、トランスＴ１ａ，Ｔ１ｂ，Ｔ２ａ，およびＴ２ｂを通過することが可能である。そのため、ループ電流１３，１４を、ループ電流検出器１１によって検出することが可能となる。
【００２２】
以上説明したように、ケーブル断線検出装置３００をネットワーク装置Ａ（１００）に内蔵させることによって、ネットワーク装置Ａ（１００）とネットワーク装置Ｂ（２００）とをケーブルで接続した状態で、ケーブル４００の断線やコネクタ１０５，２０５の接触不良について検知することが可能となる。なお、既設パルストランス１０２，１０４，２０２，２０４によってループが形成されるため、ネットワーク装置Ａ（１００），Ｂ（２００）の電源がＯＮ状態あるいはＯＦＦ状態とは無関係に、前記方法によって、ケーブルの断線やコネクタの接触不良を検知することが可能となる。
【００２３】
《第２実施形態》
前記したケーブル断線検出装置３００を構成するトランスＴ１ａ，Ｔ１ｂ，Ｔ２ａ，Ｔ２ｂやコンデンサＣをコネクタに内蔵した場合について、第２実施形態として、図３を用いて説明する。図３は、ケーブル断線検出用トランスとコンデンサを内蔵するコネクタを示す図である。
なお、図３が図２と異なる点は、ケーブル断線検出装置３００を構成するトランスＴ１ａ，Ｔ１ｂ，Ｔ２ａ，Ｔ２ｂやコンデンサＣがコネクタ５００に内蔵されている点、コネクタ５００に低周波発信器１０とループ電流検出器１１を接続する端子を設けている点、およびコネクタ５００に接地用の端子が設けられている点である。そこで、図２と同じ回路については同じ符号を付し、説明を省略する。
【００２４】
コネクタ５００には、トランスＴ１ａ，Ｔ１ｂ，Ｔ２ａ，およびＴ２ｂと、コンデンサＣが内蔵される。
まず、コネクタ５００の端子ｔ５と端子ｔ６との間に接続される回路構成について説明する。
接続点ｔ５の上側の端子（既設パルストランス１０２の一の端子）と接続点ｔ６の上側の端子（対となるワイヤの一のワイヤ；ワイヤ４ａ）との間には、コンデンサＣが接続される。そのコンデンサＣの両端には、トランスＴ１ａの一次側または二次側が接続される。そして、トランスＴ１ａのコンデンサＣが接続されていない側には、低周波発信器１０が接続され、その他端は接地される。
また、接続点ｔ５の下側の端子（既設パルストランス１０２の他の端子）と接続点ｔ６の下側の端子（対となるワイヤの他のワイヤ；ワイヤ４ｂ）にも、前記した上側の端子の場合と同様に、コンデンサＣとトランスＴ１ｂとが並列に接続される。そして、トランスＴ１ｂのコンデンサＣが接続されていない側には、ループ電流検出器１１が接続され、その他端は接地される。
接続点ｔ７の下側の端子（既設パルストランス１０４の一の端子）と接続点ｔ８の下側の端子（対となるワイヤの一のワイヤ；ワイヤ４ｄ）との間には、コンデンサＣが接続される。そのコンデンサＣの両端には、トランスＴ２ａの一次側または二次側が接続される。そして、トランスＴ２ａのコンデンサＣが接続されていない側には、低周波発信器１０が接続され、その他端は接地される。
また、接続点ｔ７の上側の端子（既設パルストランス１０４の他の端子）と接続点ｔ８の上側の端子（対となるワイヤの他のワイヤ；ワイヤ４ｃ）にも、前記した下側の端子の場合と同様に、コンデンサＣとトランスＴ２ｂとが並列に接続される。そして、トランスＴ２ｂのコンデンサＣが接続されていない側には、ループ電流検出器１１が接続され、その他端は接地される。
【００２５】
図３に示される回路構成は、コネクタ５００が既設パルストランス１０２，１０４を含むネットワーク装置Ａ（１００）に接続されると、図２に示される回路構成と同様になるので、動作も同様である。すなわち、低周波発信器１０から出力される低周波信号は、トランスＴ１ａ，Ｔ２ａを介して、ループ電流１３，１４を励起する。そして、ループ電流１３，１４によってトランスＴ１ｂ，Ｔ２ｂに誘起された信号が、ループ電流検出器１１によって検出され、表示器１２のＬＥＤなどが発光する。
【００２６】
図４は、図３に示したコネクタ５００にパルストランスを内蔵したコネクタを示す図である。なお、図３と同じ回路については同じ符号を付し、説明を省略する。
コネクタ５１０において、接続点ｔ９と接続点ｔ１０との間の回路構成は、図３に示した接続点ｔ５と接続点ｔ６との間の回路構成に既設パルストランス１０２を付加したものと同様である。また、接続点ｔ１１と接続点ｔ１２との間の回路構成は、図３に示した接続点ｔ７と接続点ｔ８との間の回路構成に既設パルストランス１０４を付加したものと同様である。
コネクタ５１０は、ネットワーク装置１１０に、図３に示すようなパルストランス１０２，１０４が備えられていない場合には、ループ電流１３，１４を形成するために有用である。
そして、ケーブルの断線やコネクタの接触不良を検知する動作は、前記した図３の場合と同様である。
【００２７】
以上説明したように、ケーブルの断線やコネクタの接触不良を検知する機能を、ネットワーク装置Ａ（１００）に内蔵させるのではなく、その機能のための回路の一部をコネクタ５００に内蔵させ、かつ残りの機能を外付けすることによって、既設のネットワーク装置Ａ（１００）を改造する手間もコストもかからないという効果がある。
【００２８】
《第３実施形態》
本発明の第３実施形態では、８本のワイヤ８ａ〜８ｈを用いて通信する場合について、図５を用いて以下に説明する。図５は、８本のワイヤを用いて通信する場合のケーブル断線検出用の回路構成を示す図である。
【００２９】
８本のワイヤを用いて通信する規格の一例として、１０００ＢＡＳＥ−Ｔがある。ワイヤ８ａ〜８ｈはそれぞれ、ワイヤ８ａと８ｂとが撚られて対にされ、ワイヤ８ｃと８ｄとが撚られて対にされ、ワイヤ８ｅと８ｆとが撚られて対にされ、ワイヤ８ｇと８ｈとが撚られて対にされているものとする。
図５が図３と異なる点は、ワイヤの本数が倍の８本になったことにともなって、コネクタ５２０に内蔵されるトランスＴ３ａ〜Ｔ６ｂの数やコンデンサＣの数が倍になった点、ループ電流検出器８１へ出力する端子が倍になった点である。
なお、既設パルストランス１２２〜１２８とワイヤ８ａ〜８ｈとの間の回路構成は、図３に示したものと同様である。
【００３０】
また、図６は、図５に示したコネクタ５２０にパルストランスを内蔵したコネクタ５３０を示す図である。なお、図５と同じ回路については同じ符号を付し、説明を省略する。
なお、パルストランス１３２，１３４，１３６，１３８とワイヤ８ａ〜８ｈとの間の回路構成は、図５に示したものと同様である。
【００３１】
コネクタ５３０において、接続点ｔ３１と接続点ｔ３２との間の回路構成、接続点ｔ３３と接続点ｔ３４との間の回路構成、接続点ｔ３５と接続点ｔ３６との間の回路構成、および接続点ｔ３７と接続点ｔ３８との間の回路構成は、図４に示した接続点ｔ９と接続点ｔ１０との間の回路構成と同様である。
コネクタ５３０は、パルストランス１３２〜１３８を含んでいるため、ネットワーク装置１３０に図５に示すような既設パルストランス１２２〜１２８が備えられていない場合には、ループ電流８３〜８６を形成するために有用である。
そして、ケーブルの断線やコネクタの接触不良を検知する動作は、前記した図５の場合と同様である。
【００３２】
なお、８本のワイヤを使用する通信において、図５に示されるコネクタ５２０に内蔵された回路、低周波発信器１０、ループ電流検出器８１、および表示器８２を用いてケーブル断線検知装置を構築し、そのケーブル断線検知装置をネットワーク装置１２０に内蔵するようにしても構わない。
【００３３】
以上説明したように、本発明における実施形態３では、８ワイヤ（４対）を全て使用する通信を行っている環境において、ケーブルの断線やコネクタの接続不良を検知することが可能となる。そのため、１０ＢＡＳＥ−Ｔや１００ＢＡＳＥ−ＴＸなどの４ワイヤ（２対）のみの通信に使用されるケーブルについて正常かどうかを検知することも可能となる。したがって、８ワイヤを全て使用する通信においてケーブルの断線やコネクタの接続不良を検知した場合、４ワイヤに使用されるケーブルが正常であることを確認した後に、８ワイヤから４ワイヤの通信に切替えることが可能となる。
【図面の簡単な説明】
【００３４】
【図１】ネットワーク装置に内蔵されたケーブル断線検出装置を示す図である。
【図２】ケーブル断線検出装置の回路構成を示す図である。
【図３】ケーブル断線検出用トランスとコンデンサを内蔵するコネクタを示す図である。
【図４】図３のコネクタに示される回路にパルストランスを付加したコネクタを示す図である。
【図５】８本のワイヤを用いて通信する場合のケーブル断線検出用の回路構成を示す図である。
【図６】図５に示したコネクタにパルストランスを内蔵したコネクタを示す図である。
【符号の説明】
【００３５】
１０    低周波発信器
１１，８１  ループ電流検出器
１２，８２  表示器
１００，１１０，１２０，１３０  ネットワーク装置Ａ
１０２，１０４，２０２，２０４  既設パルストランス
１０５，２０５，５００，５１０，５２０，５３０  コネクタ
２００    ネットワーク装置Ｂ
３００    ケーブル断線検出装置
４００    ケーブル
４ａ，４ｂ，４ｃ，４ｄ  ワイヤ
８ａ，８ｂ、８ｃ，８ｄ，８ｅ，８ｆ，８ｇ，８ｈ  ワイヤ
Ｃ    コンデンサ
Ｔ１ａ，Ｔ１ｂ，Ｔ２ａ，Ｔ２ｂ  トランス
【図１】
0005096871.tif 000002
【図２】
0005096871.tif 000003
【図３】
0005096871.tif 000004
【図４】
0005096871.tif 000005
【図５】
0005096871.tif 000006
【図６】
0005096871.tif 000007